(57)【要約】【課題】  測定装置の先端の保護キャップを外すことなく容易に交換することができるバイオセンサカートリッジおよびその製造方法を提供する。【解決手段】  把持用突起２０が設けられているベース２１の係止部２３をチップ本体１１の係止切欠部１２に係止することにより、把持用突起２０を容易に後付けすることができる。同時に、穿刺器具２２も容易に後付けすることができる。従って、すでに製造されているバイオセンサカートリッジ１０でも、係止切欠部１２を設けることにより把持用突起２０を取付けることができ、使用者は指で把持用突起２０を把持することにより、測定装置３１の保護キャップ３３を外すことなく、バイオセンサカートリッジ１０を容易に測定装置３１に着脱することができる。【選択図】  図３
2008194270.tif 000002
【特許請求の範囲】
【請求項１】
チップ本体と、前記チップ本体の先端に固定して設けられた穿刺器具を有するバイオセンサカートリッジであって、前記バイオセンサカートリッジは、前記チップ本体の表裏両面を貫通する方向に突出した把持用突起を有することを特徴とするバイオセンサカートリッジ。
【請求項２】
前記バイオセンサカートリッジは測定装置に取付可能であって、前記バイオセンサカートリッジを、先端に保護キャップを有する前記測定装置に取り付けたときに、前記把持用突起が前記保護キャップに設けられたスリットから前記保護キャップの外に突出するように設けられていることを特徴とする請求項１記載のバイオセンサカートリッジ。
【請求項３】
前記把持用突起は前記チップ本体面に当接するベースに設けられ、前記ベースは前記チップ本体に切り欠いて設けられている係止切欠部を係止する係止部を有していることを特徴とする請求項１又は２に記載のバイオセンサカートリッジ。
【請求項４】
前記係止部は、前記チップ本体の一方の面に当接する前記ベースから前記係止切欠部を貫通する係止突起と、前記チップ本体の他方の面において前記係止突起に嵌合する第２のベースとで構成され、
前記ベースおよび前記第２のベースから前記把持用突起が突出していることを特徴とする請求項１から３のいずれか１項に記載のバイオセンサカートリッジ。
【請求項５】
前記係止切欠部が前記チップ本体の長手方向に沿った外縁部に設けられ、
前記係止部は前記ベースの下面の外縁部から突出して設けられた複数個の係止爪を有し、
前記把持用突起が前記ベースの上下両面から突出して設けられるとともに、前記ベースの下面に設けられた把持用突起が前記チップ本体の中央に設けられている突起用切欠きを貫通して前記ベースと反対側に突出して設けられることを特徴とする請求項１から３のいずれか１項に記載のバイオセンサカートリッジ。
【請求項６】
前記係止部は前記ベースの下面から突出して設けられた複数個の係止爪を有し、
前記把持用突起が前記ベースの上下両面から突出して設けられるとともに、前記ベースの下面に設けられた把持用突起が前記チップ本体に設けられている突起用切欠きを貫通して前記ベースと反対側に突出して設けられることを特徴とする請求項１から３のいずれか１項に記載のバイオセンサカートリッジ。
【請求項７】
請求項１から６のいずれかに記載のバイオセンサカートリッジを製造するバイオセンサカートリッジの製造方法であって、
前記チップ本体を一体的に複数個連続して形成するとともに、前記把持用突起を有する前記ベースを一体的に複数個連続して形成し、前記ベースを前記チップ本体に係止した後、前記チップ本体および前記ベースを一緒に切り離してバイオセンサカートリッジを製造することを特徴とするバイオセンサカートリッジの製造方法。
【発明の詳細な説明】
【技術分野】
【０００１】
本発明は、例えばチップの中空反応部に収容した試薬を用いて化学物質の測定や分析を行うバイオセンサカートリッジに関するものである。
【背景技術】
【０００２】
従来より、バイオセンサチップとランセットを一体化したバイオセンサが開示されている（例えば特許文献１参照）。
図１５（Ａ）は特許文献１に記載されているセンサの斜視図、図１５（Ｂ）はセンサの分解斜視図である。図１５に示すように、ランセット一体型のセンサ１００は、チップ本体１０１、ランセット１０３、保護キャップ１０５を有している。チップ本体１０１は、カバー１０１ａと基板１０１ｂとを開閉可能に有しており、カバー１０１ａの内面には内部空間１０２が形成されている。内部空間１０２は、ランセット１０３を移動可能に収納できる形状をしており、カバー１０１ａを開けることによりランセット１０３が交換自在となっている。
【０００３】
ランセット１０３の先端に設けられている針１０４は、ランセット１０３の移動に伴ってチップ本体１０１の内部空間１０２の前端部に形成されている開口部１０２ａから出没可能となっている。ランセット１０３は、チップ本体１０１の両側面を指によって押圧してランセット１０３の突起１０３ａを押圧することにより、チップ本体１０１に固定可能となっており、この固定状態で穿刺を行う。保護キャップ１０５は針１０４を挿嵌する管部１０５ａを有しており、針１０４の移動に伴って管部１０５ａもチップ本体１０１の内部に収納可能なっている。従って、使用前の状態では、保護キャップ１０５を針１０４に被せて、針１０４を保護するとともに誤って使用者を傷付けないようにしている。なお、基板１０１ｂには、一対の電極端子１０６が設けられており、測定装置（図示省略）に電気的に接続できるようになっている。
【０００４】
従って、使用時には、保護キャップ１０５を外して、ランセット１０３を押して針１０４をチップ本体１０１から突出させ、チップ本体１０１の両側面を指で押圧して針１０４を固定する。この状態で被検体を穿刺した後、針１０４をチップ本体１０１内部に収納し、チップ本体１０１の前端に設けられている開口部１０２ａを穿刺口に近づけて、流出した血液を採取する。
【特許文献１】国際公開第０２／０５６７６９号パンフレット（図１）
【発明の開示】
【発明が解決しようとする課題】
【０００５】
しかしながら、前述した特許文献１に記載のランセット一体型センサ１００においては、針１０４を有するランセット１０３がチップ本体１０１に対して移動自在に収容されているので、構造が複雑であり、製造が面倒であり大型化を招くとともに、製造コストが高くなることが考えられる。このようなランセット一体型センサにおいては、穿刺器でランセットをセットする動作において、保護キャップを取り外す作業が煩雑であった。
そこで、本発明者たちは、穿刺と測定が連続して行える測定装置であって、先端に保護キャップを有する測定装置に容易に装着可能かつセット可能なバイオセンサカートリッジについて鋭意検討した。
【０００６】
本発明の目的は、測定装置の先端の保護キャップを外すことなく容易に装着及びセットすることができるバイオセンサカートリッジおよびその製造方法を提供することにある。
【課題を解決するための手段】
【０００７】
前述した目的を達成するために、本発明にかかるバイオセンサカートリッジは、チップ本体と、前記チップ本体の先端に固定して設けられた穿刺器具を有するバイオセンサカートリッジであって、前記バイオセンサカートリッジは、前記チップ本体の表裏両面を貫通する方向に突出した把持用突起を有することにある。
【０００８】
このように構成されたバイオセンサカートリッジにおいては、使用者は指で把持用突起を把持することにより、バイオセンサカートリッジを容易に取り扱うことができる。
【０００９】
また、本発明にかかるバイオセンサカートリッジは、測定装置に取付可能であって、前記バイオセンサカートリッジを、先端に保護キャップを有する前記測定装置に取り付けたときに、前記把持用突起が前記保護キャップに設けられたスリットから前記保護キャップの外に突出するように設けられていることが望ましい。
【００１０】
上記構成によれば、測定装置の保護キャップを外すことなく、バイオセンサカートリッジを容易に測定装置に装着することができる。
【００１１】
また、本発明にかかるバイオセンサカートリッジは、前記把持用突起は前記チップ本体面に当接するベースに設けられ、前記ベースは前記チップ本体に切り欠いて設けられている係止切欠部を係止する係止部を有していることが望ましい。
【００１２】
このように構成されたバイオセンサカートリッジにおいては、把持用突起が設けられているベースの係止部をチップ本体の係止切欠部に係止することにより、把持用突起を容易に後付けすることができる。同時に、穿刺器具も容易に後付けすることができる。従って、すでに製造されているバイオセンサチップでも、係止切欠部を設けることにより、同様に用いることができる。
【００１３】
また、本発明にかかるバイオセンサカートリッジは、前記係止部は、前記チップ本体の一方の面に当接する前記ベースから前記係止切欠部を貫通する係止突起と、前記チップ本体の他方の面において前記係止突起に嵌合する第２のベースとで構成され、前記ベースおよび前記第２のベースから前記把持用突起が突出していることが望ましい。
【００１４】
このように構成されたバイオセンサカートリッジにおいては、一方の把持用突起が設けられているベースの係止突起を係止切欠部のところで貫通させ、他方の把持用突起が設けられている第２のベースを係止突起に嵌合させることによりチップ本体をベースおよび第２のベースにより挟んで固定する。これにより、把持用突起を容易に後付けすることができる。同時に、穿刺器具も容易に後付けすることができる。
【００１５】
また、本発明にかかるバイオセンサカートリッジは、前記係止切欠部が前記チップ本体の長手方向に沿った外縁部に設けられ、前記係止部は前記ベースの下面の外縁部から突出して設けられた複数個の係止爪を有し、前記把持用突起が前記ベースの上下両面から突出して設けられるとともに、前記ベースの下面に設けられた把持用突起が前記チップ本体の中央に設けられている突起用切欠きを貫通して前記ベースと反対側に突出して設けられていることが望ましい。
【００１６】
このように構成されたバイオセンサカートリッジにおいては、ベースの下面から突出して設けられている一方の把持用突起を、チップ本体の中央に設けられている突起用切欠きに貫通させ、ベースの下面外縁部から突出して設けられている係止爪によって、チップ本体の外縁部に設けられている係止切欠部を係止することによりベースをチップ本体に取付ける。これにより、把持用突起を容易に後付けすることができる。同時に、穿刺器具も容易に後付けすることができる。
【００１７】
また、本発明にかかるバイオセンサカートリッジは、前記係止部は前記ベースの下面から突出して設けられた複数個の係止爪を有し、前記把持用突起が前記ベースの上下両面から突出して設けられるとともに、前記ベースの下面に設けられた把持用突起が前記チップ本体の中央に設けられている突起用切欠きを貫通して前記ベースと反対側に突出して設けられていることが望ましい。
【００１８】
このように構成されたバイオセンサカートリッジにおいては、ベースの下面から突出して設けられている一方の把持用突起を突起用切欠きに貫通させ、ベースの下面中央部から突出して設けられている係止爪によって、チップ本体の中央部に設けられている係止切欠部を係止することにより、ベースをチップ本体に取付ける。これにより、把持用突起を容易に後付けすることができる。同時に、穿刺器具も容易に後付けすることができる。
【００１９】
また、本発明にかかるバイオセンサカートリッジの製造方法は、上記本発明のバイオセンサカートリッジを製造するバイオセンサカートリッジの製造方法であって、前記チップ本体を一体的に複数個連続して形成するとともに、前記把持用突起を有する前記ベースを一体的に複数個連続して形成し、前記ベースを前記チップ本体に係止した後、前記チップ本体および前記ベースを一緒に切り離してバイオセンサカートリッジを製造するものである。
【００２０】
このように構成されたバイオセンサカートリッジの製造方法においては、係止切欠部や突起用切欠きが設けられたチップ本体を連続して複数個形成するとともに、把持用突起や係止部や穿刺器具が設けられたベースを複数個連続して形成する。そして、複数個連続したベースを、複数個連続したチップ本体に取付け、その後各チップ本体に切り離すので、大量のバイオセンサカートリッジを一度に製造することができる。
【発明の効果】
【００２１】
本発明によれば、把持用突起が設けられているベースの係止部をチップ本体の係止切欠部に係止することにより、把持用突起を容易に後付けすることができる。同時に、穿刺器具も容易に後付けすることができるので、すでに製造されているバイオセンサチップでも、係止切欠部を設けることにより把持用突起を取付けることができ、使用者は指で把持用突起を把持することにより、測定装置の保護キャップを外すことなく、バイオセンサカートリッジを容易に測定装置に着脱することができるという効果が得られる。
【発明を実施するための最良の形態】
【００２２】
＜第１実施形態＞
以下、本発明に係る実施形態を図面に基づいて詳細に説明する。
図１（Ａ）は本発明の第１実施形態に係るバイオセンサカートリッジを測定装置に装着した状態を示す正面図、図１（Ｂ）は図１（Ａ）中Ｂ方向から見た側面図、図２はバイオセンサ装置の構成図、図３（Ａ）はバイオセンサカートリッジの側面図、図３（Ｂ）はバイオセンサカートリッジの平面図、図３（Ｃ）は後方から見たバイオセンサカートリッジの端面図、図３（Ｄ）は前方から見たバイオセンサカートリッジの端面図、図４（Ａ）はチップ本体の側面図、図４（Ｂ）はチップ本体の平面図、図５（Ａ）および（Ｂ）は把持用突起を示す正面図および端面図等である。
【００２３】
図１および図２に示すように、本発明の実施形態に係るバイオセンサカートリッジ１０Ａは、測定装置３１の駆動手段３２（図２参照）に取り付けられて駆動されることによりチップ本体１１Ａの先端１１ａに突出して設けられている穿刺器具である穿刺針２２で検体を穿刺して、試料である例えば血液を採取するものである。そして、チップ本体１１Ａに、測定装置３１の先端に取り付けられている保護キャップ３３のスリット３３ａから外に突出するとともにこのスリット３３ａに沿って移動可能な把持用突起２０がチップ本体１１Ａの表裏両面を貫通する方向に突出して設けられている。
【００２４】
図３に示すように、第１実施形態に係るバイオセンサカートリッジ１０Ａにおいては、把持用突起２０はチップ本体１１Ａの表面に当接するベース２１に設けられ、ベース２１はチップ本体１１Ａに切り欠いて設けられている係止切欠部１２Ａを係止する係止部２３を有しているとともに、穿刺針２２がベースの先端面２１ａから前方に固定して突出して設けられている。
【００２５】
図４（Ａ）および（Ｂ）には、チップ本体１１Ａの一例が示されている。このチップ本体１１Ａでは、互いに対向する２枚の基板１４ａ、１４ｂと、この２枚の基板１４ａ、１４ｂ間に挟装されるスペーサ層１５を有している。２枚の基板１４ａ、１４ｂの少なくとも１枚の基板１４ｂのスペーサ層１５側の表面には、検知用電極１６ａ、１６ｂが設けられており、先端部（図４（Ｂ）において右端部）は互いに対向する方向へＬ字状に曲げられて、所定間隔を保持している。チップ本体１１Ａの先端１１ａから、２つの検知用電極１６ａ、１６ｂが対向している部分にかけて、２枚の基板１４ａ、１４ｂ及びスペーサ層１５により中空反応部１７が形成されている。この中空反応部１７の先端に、検体に穿刺針１２を穿刺して採取した試料としての血液を中空反応部１７に導入する試料採取口１７ａが設けられている。中空反応部１７においては、検知用電極１６ａ、１６ｂは露出しており、中空反応部１７における検知用電極１６ａ、１６ｂの直上或いは近傍に、例えば酵素とメディエータを固定化し血液中のグルコースと反応して電流を発生する試薬１８が設けられている。試薬１８としては、グルコースオキシダーゼ（ＧＯＤ）やグルコースデヒドロゲナーゼ（ＧＤＨ）、コレステロールオキシダーゼ、ウリカーゼ等の酵素と電子受容体が例示される。例えば、血液中のグルコース量を測定するグルコースバイオセンサチップの場合は、この部分に、グルコースオキシダーゼ層やグルコースオキシダーゼ−電子受容体（メディエータ）混合物層、グルコースオキシダーゼ−アルブミン混合物層、又はグルコースオキシダーゼ−電子受容体−アルブミン混合物層等が形成される。グルコースオキシダーゼ以外の酵素、例えばグルコースデヒドロゲナーゼ等を用い、これらの層が形成される場合もある。又、添加剤として緩衝剤や親水性高分子等を薬剤中に含めても良い。従って、中空反応部１７は、試料採取口１７ａから採取入された例えば血液等の血液が、試薬１８と生化学反応する部分となる。なお、チップ本体１１Ａの中央部には、矩形状の係止切欠部１２Ａ、１２Ａがチップ本体１１Ａを貫通して２箇所設けられている。
【００２６】
図５に示すように、係止部２３は、チップ本体１１Ａの一方の面に当接するベース２１からチップ本体１１Ａの係止切欠部１２Ａを貫通する係止突起２３ａと、チップ本体１１Ａの他方の面において係止突起２３ａに嵌合する第２のベース２４とで構成され、第２のベース２４のチップ本体１１Ａ側面には、係止突起２３ａが嵌合する係止凹部２４ａが設けられている。なお、ベース２１および第２のベース２４から外側に向かって、把持用突起２０、２０Ｂが突出して設けられている。把持用突起２０、２０Ｂは、測定装置３１の先端に取り付けられている保護キャップ３３の外形よりも大きく、スリット３３ａから保護キャップ３３の外側に突出する大きさとなっている。なお、把持用突起２０、２０Ｂの先端面には凹部２０ａを設けるのが望ましく、使用者が指により把持した際にバイオセンサカートリッジを確実に把持できるようにしてある。
【００２７】
以上、説明した第１実施形態に係るバイオセンサカートリッジ１０Ａによれば、使用者は指で把持用突起２０、２０Ｂを把持することにより、測定装置３１の保護キャップ３３を外すことなく、バイオセンサカートリッジ１０Ａを容易に測定装置３１に着脱することができる。また、測定装置３１の駆動手段３２によりバイオセンサカートリッジ１０Ａを駆動して、バイオセンサカートリッジ１０Ａに設けられている穿刺針２２により穿刺を行う際には、チップ本体１１Ａに設けられている把持用突起２０、２０Ｂが、保護キャップ３３のスリット３３ａに沿って移動するので、所定の穿刺位置に正確に穿刺することができる。
【００２８】
また、把持用突起２０が設けられているベース２１の係止突起２３ａを、チップ本体１１Ａの係止切欠部１２Ａに貫通させて第２のベース２４の係止凹部２４ａに嵌合させることにより、把持用突起２０、２０Ｂを容易に後付けすることができる。同時に、穿刺針２２も容易に後付けすることができる。従って、すでに製造されているチップ本体１１Ａでも、係止切欠部１２Ａを設けることにより、同様に用いることができる。
【００２９】
＜第２実施形態＞
次に、本発明に係る第２実施形態について説明する。
図６（Ａ）はバイオセンサカートリッジの側面図、図６（Ｂ）はバイオセンサカートリッジの平面図、図６（Ｃ）は後方から見たバイオセンサカートリッジの端面図、図６（Ｄ）は前方から見たバイオセンサカートリッジの端面図、図７（Ａ）はチップ本体の側面図、図７（Ｂ）はチップ本体の平面図、図８（Ａ）は把持用突起を示す正面図、図８（Ｂ）および（Ｃ）は把持用突起を示す端面図である。なお、すでに前述した部位と共通する部位には同じ符号を付して、重複する説明を省略することとする。
【００３０】
図６および図７に示すように、このバイオセンサカートリッジ１０Ｂのチップ本体１１Ｂでは、チップ本体１１Ｂの長手方向に沿った外縁部に、矩形状の係止切欠部１２Ｂがチップ本体１１Ｂの厚み方向に貫通して設けられている。さらに、チップ本体１１Ｂの中央部には、矩形状の突起用切欠き１３がチップ本体１１Ｂを貫通して設けられている。
【００３１】
図６および図８に示すように、ベース２１の上面には把持用突起２０が突出して設けられており、ベース２１の平面部２１ｂには把持用突起２０Ｂが突出して設けられている。また、ベース２１の平面部２１ｂの四隅には、チップ本体１１Ｂの係止切欠部１２Ｂに嵌合してチップ本体１１Ｂを係止する係止爪２５が設けられている。係止爪２５は、チップ本体１１Ｂの厚さと略等しい長さの弾性変形可能なアーム２５ａと、アーム２５ａの先端に設けられている爪２５ｂとから構成されている。
【００３２】
従って、ベース２１の下面から突出して設けられている一方の把持用突起２０Ｂを、チップ本体１１Ｂの中央に設けられている突起用切欠き１３に貫通させ、ベース２１の下面外縁部から突出して設けられている係止爪２５によって、チップ本体１１Ｂの外縁部に設けられている係止切欠部１２Ｂを係止する。このとき、係止爪２５のアーム２５ａが一旦広がる方向へ弾性変形し、爪２５ｂによって係止切欠部１２Ｂを係止することによりベースをチップ本体に取付ける。
【００３３】
以上、説明した第２実施形態に係るバイオセンサカートリッジ１０Ｂによれば、第１実施形態に係るバイオセンサカートリッジ１０Ａと同様の作用・効果を得ることができる。さらに、把持用突起２０、２０Ｂが１個のベース２１に設けられているので、一層簡単に把持用突起２０、２０Ｂおよび穿刺針２２をチップ本体１１Ｂに後付けすることができる。
【００３４】
＜第３実施形態＞
次に、本発明に係る第３実施形態について説明する。
図９（Ａ）はバイオセンサカートリッジの側面図、図９（Ｂ）はバイオセンサカートリッジの平面図、図９（Ｃ）は後方から見たバイオセンサカートリッジの端面図、図９（Ｄ）は前方から見たバイオセンサカートリッジの端面図、図１０（Ａ）はチップ本体の側面図、図１０（Ｂ）はチップ本体の平面図、図１１（Ａ）は把持用突起を示す側面図、図１１（Ｂ）および（Ｃ）は把持用突起を示す端面図である。なお、すでに前述した部位と共通する部位には同じ符号を付して、重複する説明を省略することとする。
【００３５】
図９および図１０に示すように、このバイオセンサカートリッジ１０Ｃのチップ本体１１Ｃでは、チップ本体１１Ｃの中央部に矩形状の突起用切欠き１３がチップ本体１１Ｃを厚み方向に貫通して設けられている。また、突起用切欠き１３の前側には、中空反応部１７を回避するように中空反応部１７の左右両側に係止切欠部１２Ｃがチップ本体１１Ｃの厚み方向に貫通して設けられている。さらに、突起用切欠き１３の後側にも係止切欠部１２Ｃが設けられている。
【００３６】
図９および図１１に示すように、ベース２１の上面には把持用突起２０が突出して設けられており、ベース２１の下面の平面部２１ｂから下方にも把持用突起２０Ｂが設けられている。また、ベース２１の平面部２１ｂには、把持用突起２０の前側に一対の係止爪２６ａ、２６ａが設けられており、把持用突起２０の後側には係止爪２６ｂが突出して設けられている。なお、係止爪２６ａ、２６ｂは、チップ本体１１Ｃの厚さと略等しい長さのアーム２６ａ´と、アーム２６ａ´の先端に設けられている爪２６ｂ´´とから構成されている。
【００３７】
従って、ベース２１の下面２１ｂから突出して設けられている一方の把持用突起２０Ｂを、チップ本体１１Ｃの中央に設けられている突起用切欠き１３に貫通させ、ベース２１の下面外縁部から突出して設けられている係止爪２６ａ，２６ｂによって、チップ本体１１Ｃに設けられている係止切欠部１２Ｃを係止することによりベース２１をチップ本体１１Ｃに取付ける。
【００３８】
以上、説明した第３実施形態に係るバイオセンサカートリッジ１０Ｃによれば、第１実施形態に係るバイオセンサカートリッジ１０Ａと同様の作用・効果を得ることができる。さらに、把持用突起２０、２０Ｂが１個のベース２１に設けられているので、一層簡単に把持用突起２０、２０Ｂおよび穿刺針２２をチップ本体１１Ｃに後付けすることができることになる。
【００３９】
なお、図１２に示すように、中空反応部１７を斜めに設けて、係止切欠部１２Ｃをチップ本体１１Ｄの前方かつ幅方向中央部に１個設けるとともに、係止爪２７ａもベース２１の幅方向中央に１個設けるようにすることもできる。
【００４０】
＜第４実施形態＞
次に、本発明の第４実施形態に係るバイオセンサカートリッジの製造方法ついて説明する。
図１３（Ａ）は連続して一体的に形成されているチップ本体を示す平面図、図１３（Ｂ）は連続して一体的に形成されているベースの正面図、図１３（Ｃ）は連続したチップ本体に連続したベースを取付けて切断したバイオセンサチップを示す正面図である。なお、すでに前述した部位と共通する部位には同じ符号を付して、重複する説明を省略することとする。また、前述した各実施形態に共通する場合には、符号「Ａ」、「Ｂ」、「Ｃ」を取り除いて、「バイオセンサカートリッジ１０」、「チップ本体１１」のように示すこととする。
【００４１】
このバイオセンサカートリッジの製造方法では、図１３（Ａ）に示すように、チップ本体１１を複数個連続して一体的に形成するとともに、図１３（Ｂ）に示すように、把持用突起２０を有するベース２１を複数個連続して一体的に形成しておく。そして、連続したベース２１を連続したチップ本体１１に係止した後、連続したチップ本体１１およびベース２１を一緒に切り離して、図１３（Ｃ）に示すように、個々のバイオセンサチップ１０を製造するものである。なお、図１３においては、前述した第２実施形態で説明したバイオセンサカートリッジ１０Ｂを製造する場合が図示されているが、第１実施形態および第３実施形態の場合もまったく同様である。
【００４２】
以上、説明したバイオセンサカートリッジの製造方法によれば、係止切欠部１２や突起用切欠き１３が設けられたチップ本体１１を複数個連続して一体的に形成するとともに、把持用突起２０や係止部２３や穿刺針２２が設けられたベース２１を複数個連続して一体的に形成する。そして、複数個連続したベース２１を、複数個連続したチップ本体１１に取付け、その後各チップ本体１１に切り離すので、大量のバイオセンサチップ１０を一度に製造することができる。
【００４３】
なお、本発明のバイオセンサチップおよびその製造方法は、前述した各実施形態に限定されるものでなく、適宜な変形，改良等が可能である。
例えば、前述した各実施形態において、把持用突起２０がチップ本体１１の表裏面と直交する方向に設けられている場合を例示したが、その他、図１４に示すように、ベース２０（または第２のベース２０Ｂ）の左右両側に、把持用突起２０をチップ本体１１と平行に設けることも可能である。
【産業上の利用可能性】
【００４４】
以上のように、本発明に係るバイオセンサチップおよびその製造方法は、把持用突起が設けられているベースの係止部をチップ本体の係止切欠部に係止することにより、把持用突起を容易に後付けすることができる。同時に、穿刺器具も容易に後付けすることができるので、すでに製造されているバイオセンサチップでも、係止切欠部を設けることにより把持用突起を取付けることができ、使用者は指で把持用突起を把持することにより、測定装置の保護キャップを外すことなく、バイオセンサチップを容易に測定装置に着脱することができるという効果を有し、チップの中空反応部に収容した試薬を用いて化学物質の測定や分析を行うバイオセンサチップ等として有用である。
【図面の簡単な説明】
【００４５】
【図１】（Ａ）は本発明の第１実施形態に係るバイオセンサカートリッジを測定装置に装着した状態を示す正面図である。  （Ｂ）は図１（Ａ）中Ｂ方向から見た側面図である。
【図２】バイオセンサ装置の構成図である。
【図３】（Ａ）はバイオセンサカートリッジの側面図、（Ｂ）はバイオセンサカートリッジの平面図、（Ｃ）は後方から見たバイオセンサカートリッジの端面図、（Ｄ）は前方から見たバイオセンサカートリッジの端面図である。
【図４】（Ａ）はチップ本体の側面図である。  （Ｂ）はチップ本体の平面図である。
【図５】（Ａ）および（Ｂ）は把持用突起を示す正面図および端面図等である。
【図６】（Ａ）はバイオセンサカートリッジの側面図、（Ｂ）はバイオセンサカートリッジの平面図、（Ｃ）は後方から見たバイオセンサカートリッジの端面図、（Ｄ）は前方から見たバイオセンサカートリッジの端面図である。
【図７】（Ａ）はチップ本体の側面図である。  （Ｂ）はチップ本体の平面図である。
【図８】（Ａ）は把持用突起を示す正面図である。  （Ｂ）および（Ｃ）は把持用突起を示す端面図である。
【図９】（Ａ）はバイオセンサカートリッジの平面図、（Ｂ）はバイオセンサカートリッジの正面図、（Ｃ）は後方から見たバイオセンサカートリッジの端面図、（Ｄ）は前方から見たバイオセンサカートリッジの端面図である。
【図１０】（Ａ）はチップ本体の側面図である。  （Ｂ）はチップ本体の平面図である。
【図１１】（Ａ）は把持用突起を示す正面図である。  （Ｂ）および（Ｃ）は把持用突起を示す端面図である。
【図１２】図９に示したバイオセンサカートリッジの変形例を示す平面図等である。
【図１３】（Ａ）は連続して形成されているチップ本体を示す平面図である。  （Ｂ）は連続して形成されているベースの正面図である。  （Ｃ）は連続したチップ本体に連続したベースを取付けて切断する状態を示す正面図である。
【図１４】バイオセンサカートリッジの変形例を示す断面図である。
【図１５】（Ａ）は従来のバイオセンサチップの斜視図である。  （Ｂ）はバイオセンサチップの分解斜視図である。
【符号の説明】
【００４６】
１０  バイオセンサカートリッジ
１１  チップ本体
１２  係止切欠部
１３  突起用切欠き
２０  把持用突起
２０Ｂ  第２のベース
２１  ベース
２１ａ  先端面
２２  穿刺針（穿刺器具）
２３  係止部
２３ａ  係止突起
２５  係止爪
３１  測定装置
３２  駆動手段
３３  保護キャップ
３３ａ  スリット
【図１】
2008194270.tif 000003
【図２】
2008194270.tif 000004
【図３】
2008194270.tif 000005
【図４】
2008194270.tif 000006
【図５】
2008194270.tif 000007
【図６】
2008194270.tif 000008
【図７】
2008194270.tif 000009
【図８】
2008194270.tif 000010
【図９】
2008194270.tif 000011
【図１０】
2008194270.tif 000012
【図１１】
2008194270.tif 000013
【図１２】
2008194270.tif 000014
【図１３】
2008194270.tif 000015
【図１４】
2008194270.tif 000016
【図１５】
2008194270.tif 000017